(57)【要約】【課題】基板ケースの不正開放を確実かつ容易に発見可能な遊技機の提供。【解決手段】パチンコ遊技機１は、主制御基板５を収納する基板ケース１０を備える。基板ケースは、蓋側封止部４２と底側封止部５２とを締結する構成の封止手段４０を有する。また、基板ケースは、封止部の取外し動作に連動して動く可動体７４と、可動体が元の位置へ復帰するのを規制する復帰規制手段８０とを有する。可動体は、封止部を基板ケースから取り外すと封止部の配設されていたスペースＳの少なくとも一部に移動する可動体本体部７５を有する。封止された基板ケースから封止部が取り外されると、可動体が移動して封止部の基板ケースへの再配置を規制する。そのため、基板ケースの不正開放を確実かつ容易に発見できる。【選択図】図８
2010240306.tif 000002
【特許請求の範囲】
【請求項１】
底側ケース部と蓋側ケース部とにより形成されて、内部に制御基板を収納する構成の基板ケースを備え、
該基板ケースが、
前記蓋側ケース部に配設される蓋側封止部と、前記底側ケース部に配設される底側封止部とを、相互に締結することにより、前記蓋側ケース部を前記底側ケース部に対して封止する封止手段を有し、
該封止手段により封止された状態では、前記蓋側封止部または前記底側封止部の少なくとも一方の封止部を切断して取り外すことにより、開放可能となるように構成されている遊技機において、
前記基板ケースが、
前記封止部の取外し動作に連動して動く可動体と、
動いた前記可動体が元の位置へ復帰するのを規制する復帰規制手段と、を有し、
前記可動体が、前記封止部を前記基板ケースから取り外すと前記封止部の配設されていたスペースの少なくとも一部に移動する可動体本体部を、有していることを特徴とする遊技機。
【請求項２】
前記封止部が、当該封止部の取外し時に前記可動体と係合する係合部を備え、
前記可動体が、
回転軸を有して回転運動可能に構成されるとともに、
前記可動体本体部から延設され、前記係合部と係合可能な被係合部を備えて構成され、
前記復帰規制手段が、
前記可動体に設けられる被係止部と、
前記基板ケースに設けられ、前記被係止部を係止可能な係止部と、を備え、
前記封止部が前記基板ケースから取り外されるとき、前記係合部が前記被係合部に係合して前記可動体を回転させ、前記可動体本体部が前記封止部の配設されていたスペースの少なくとも一部に移動されるとともに、前記被係止部が前記係止部に係止されて、前記可動体の復帰が規制されることを特徴とする請求項１に記載の遊技機。
【請求項３】
前記封止部が、当該封止部の取外し時に前記可動体と係合する係合部を備え、
前記可動体が、
回転軸を有して回転運動可能に構成されるとともに、
前記可動体本体部から延設され、前記係合部と係合可能な被係合部を備えて構成され、
前記復帰規制手段が、
前記基板ケースに設けられる固定部材と、
前記封止手段の取外し時に、磁力もしくは弾性部材による付勢力を利用して、前記固定部材と前記可動体との間に入り込むように移動する可動部材と、を備え、
前記封止部が前記基板ケースから取り外されるとき、前記係合部が前記被係合部に係合して前記可動体を回転させ、前記可動体本体部が前記封止部の配設されていたスペースの少なくとも一部に移動されるとともに、前記可動部材が、前記固定部材と前記可動体との間に移動して、前記可動体の復帰が規制されることを特徴とする請求項１に記載の遊技機。
【請求項４】
前記可動体が、弾性部材により前記封止部の配設スペースに向けて付勢された突出部材を備え、
前記突出部材が、前記可動体本体部と、前記可動体本体部から延設される被係止部と、を備え、
前記復帰規制手段が、前記被係止部を外れ不能に係止する係止部を備え、
前記突出部材は、
前記基板ケースが封止されているとき、突出を規制され、
前記封止部が前記基板ケースから取り外されるとき、突出規制が解除されて、前記可動体本体部を前記封止部の配設されていたスペースの少なくとも一部に移動させるように突出するとともに、前記被係止部を前記係止部に係止させて復帰が規制されることを特徴とする請求項１に記載の遊技機。
【請求項５】
前記基板ケースが、
少なくとも前記可動体を外部から視認可能に、該可動体の配設部位近傍を透明部材で形成されていることを特徴とする請求項１乃至請求項４のいずれか一項に記載の遊技機。
【請求項６】
前記可動体が、
前記基板ケースにおいて当該可動体の周辺に配設される部材とは異なる色彩の部材で形成されていることを特徴とする請求項５に記載の遊技機。
【発明の詳細な説明】
【技術分野】
【０００１】
本発明は、遊技機、特に、不正行為対策の施された基板ケースを備える遊技機に関する。
【背景技術】
【０００２】
不正行為対策の施された基板ケースを備える遊技機としては、例えば、下記特許文献１に示すように、封止手段を有する基板ケースを備え、封止手段が、長孔に係止爪を抜け不能に挿入することで底側ケース部と蓋側ケース部とを連結するように構成されているものが知られている（段落［０１７０］，図１４，図１７参照）。
【０００３】
このような遊技機では、係止爪を長孔から抜くことが不可能であるため、基板ケースを開放するためには、封止手段を基板ケースから分断して取り外すことが必要であった。そのため、基板ケースが不正に開放されると、痕跡が残るようになっていた。
【先行技術文献】
【特許文献】
【０００４】
【特許文献１】特開２００６−３２６２８１号公報
【発明の概要】
【発明が解決しようとする課題】
【０００５】
しかしながら、上記遊技機では、ニッパなどを用いて封止手段を基板ケースから分断して取り外し、基板ケースを不正に開放した後で、再び基板ケースを閉塞して、分断した封止手段を基板ケースの元の位置に戻すと、基板ケースの外観上、不正開放が行われていない基板ケースとの差異が分かりづらいため、不正開放の発見が困難であった。
【０００６】
本発明は、上記事情に鑑み、基板ケースから封止手段を取り外した場合、再度、封止手段を基板ケースに戻すことを不能にし、これにより、基板ケースの不正開放を容易に発見可能とすることを目的とする。
【課題を解決するための手段】
【０００７】
本発明の遊技機は、底側ケース部と蓋側ケース部とにより形成されて、内部に制御基板を収納する構成の基板ケースを備え、該基板ケースが、前記蓋側ケース部に配設される蓋側封止部と、前記底側ケース部に配設される底側封止部とを、相互に締結することにより、前記蓋側ケース部を前記底側ケース部に対して封止する封止手段を有し、該封止手段により封止された状態では、前記蓋側封止部または前記底側封止部の少なくとも一方の封止部を切断して取り外すことにより、開放可能となるように構成されている遊技機において、前記基板ケースが、前記封止部の取外し動作に連動して動く可動体と、動いた前記可動体が元の位置へ復帰するのを規制する復帰規制手段と、を有し、前記可動体が、前記封止部を前記基板ケースから取り外すと前記封止部の配設されていたスペースの少なくとも一部に移動する可動体本体部を、有していることを特徴とする。
【０００８】
本発明によれば、封止部が基板ケースから取り外されると、可動体が、封止部の取外し動作に連動して動き、可動体本体部を封止部の配設されていたスペースの一部に移動させる。そして、可動体は、復帰規制手段によって移動後の状態に保持される。そのため、取り外した封止部を基板ケースの元の位置に戻そうとしても、可動体本体部が邪魔となり、戻すことができない。よって、本発明によれば、基板ケースの封止部近傍の状態を確認することにより、基板ケースの不正開放を確実かつ容易に発見することができる。
【０００９】
また、本発明の遊技機では、前記封止部が、当該封止部の取外し時に前記可動体と係合する係合部を備え、前記可動体が、回転軸を有して回転運動可能に構成されるとともに、前記可動体本体部から延設され、前記係合部と係合可能な被係合部を備えて構成され、前記復帰規制手段が、前記可動体に設けられる被係止部と、前記基板ケースに設けられ、前記被係止部を係止可能な係止部と、を備え、前記封止部が前記基板ケースから取り外されるとき、前記係合部が前記被係合部に係合して前記可動体を回転させ、前記可動体本体部が前記封止部の配設されていたスペースの少なくとも一部に移動されるとともに、前記被係止部が前記係止部に係止されて、前記可動体の復帰が規制される構成とすることができる。
【００１０】
このような構成とすれば、封止部が基板ケースから取り外されるとき、封止部の係合部が可動体の被係合部に係合して可動体を回転させ、可動体本体部が封止部の配設されていたスペースの一部に移動するとともに、被係止部が係止部に係止されて、可動体の復帰が規制される。したがって、可動体を駆動するために別途駆動源を設けなくても、封止部の取外し動作のみによって、可動体を回転させて可動体本体部を封止部の配設されていたスペースの一部に移動させるとともに、可動体の復帰を規制することができる。
【００１１】
また、本発明の遊技機では、前記封止部が、当該封止部の取外し時に前記可動体と係合する係合部を備え、前記可動体が、回転軸を有して回転運動可能に構成されるとともに、前記可動体本体部から延設され、前記係合部と係合可能な被係合部を備えて構成され、前記復帰規制手段が、前記基板ケースに設けられる固定部材と、前記封止手段の取外し時に、磁力もしくは弾性部材による付勢力を利用して、前記固定部材と前記可動体との間に入り込むように移動する可動部材と、を備え、前記封止部が前記基板ケースから取り外されるとき、前記係合部が前記被係合部に係合して前記可動体を回転させ、前記可動体本体部が前記封止部の配設されていたスペースの少なくとも一部に移動されるとともに、前記可動部材が、前記固定部材と前記可動体との間に移動して、前記可動体の復帰が規制される構成とすることができる。
【００１２】
このような構成とすれば、封止部が基板ケースから取り外されるとき、封止部の係合部が可動体の被係合部に係合して可動体を回転させ、可動体本体部が封止部の配設されていたスペースの一部に移動するとともに、磁力もしくは弾性部材による付勢力が作用して、可動部材が、固定部材と可動体との間にくさびのように入り込み、可動体の復帰が規制される。このようにして可動体と固定部材との間に入り込んだ可動部材は、取り外すことが困難であるため、本発明によれば、簡便な構成で可動体の復帰を強固に規制することができる。
【００１３】
また、本発明の遊技機では、前記可動体が、弾性部材により前記封止部の配設スペースに向けて付勢された突出部材を備え、前記突出部材が、前記可動体本体部と、前記可動体本体部から延設される被係止部と、を備え、前記復帰規制手段が、前記被係止部を外れ不能に係止する係止部を備え、前記突出部材は、前記基板ケースが封止されているとき、突出を規制され、前記封止部が前記基板ケースから取り外されるとき、突出規制が解除されて、前記可動体本体部を前記封止部の配設されていたスペースの少なくとも一部に移動させるように突出するとともに、前記被係止部を前記係止部に係止させて復帰が規制される構成とすることができる。
【００１４】
このような構成とすれば、封止部が基板ケースから取り外されるとき、突出部材は、突出規制が解除され、弾性部材の復元力により封止部の配設スペースに向かって突出する。そして、突出部材の可動体本体部が、封止部の配設されていたスペースの少なくとも一部に移動するとともに、突出部材の被係止部が、係止部により外れ不能に係止される。よって、本発明によれば、弾性部材により付勢した突出部材を設けるだけの簡単な構成によって、取り外した封止部の復元を規制する基板ケースを形成できるため、可動体の配設位置や、大きさを自由に設計でき、例えば、可動体本体部が封止部の配設されていたスペースの全域を塞ぐような可動体を形成するなど、不正対策効果の高い基板ケースを容易に形成できる。
【００１５】
また、本発明の遊技機では、前記基板ケースが、少なくとも前記可動体を外部から視認可能に、該可動体の配設部位近傍を透明部材で形成されている構成とすることができる。
【００１６】
このような構成とすれば、封止部が基板ケースから取り外された後で、封止部の配設されていたスペースに移動していた可動体が破壊され、封止部が再度基板ケースの元の位置に戻されてしまった場合であっても、外部から可動体が破壊されていないか否かを確認できるため、不正行為の有無を判断することができる。
【００１７】
また、本発明の遊技機では、前記可動体が、前記基板ケースにおいて当該可動体の周辺に配設される部材とは異なる色彩の部材で形成されている構成とすることができる。
【００１８】
このような構成とすれば、外部から可動体を視認する際、色彩の違いにより一見して可動体の状態を把握できるため、不正行為の発見を容易にすることができる。
【図面の簡単な説明】
【００１９】
【図１】本発明の第１実施形態のパチンコ遊技機の背面側を示す概略図である。
【図２】第１実施形態の基板ケースを示す概略斜視図である。
【図３】第１実施形態の基板ケースの概略分解斜視図である。
【図４】第１実施形態の基板ケースの端面図であり、図２のIV‐IV部位に対応する。
【図５】第１実施形態の基板ケースを閉じる作業を説明する概略部分断面図であり、図４のＶ部位付近を示す。
【図６】第１実施形態の基板ケースを閉じた後、封止手段により蓋側ケース部と底側ケース部とを封止する作業を示す概略断面図である。
【図７】第１実施形態の基板ケースの封止後において、封止部を基板ケースから取り外す動作を示す概略断面図であり、図６のＢのVII‐VII部位に対応する。
【図８】第１実施形態の基板ケースの封止後において、封止部を基板ケースから取り外す動作を示す概略断面図であり、図７の後の動作を示す。
【図９】第１実施形態基板ケースの封止後において、封止部を基板ケースから取り外す動作を示す概略斜視図である。
【図１０】第２実施形態の可動体を示す概略断面図であって、基板ケースの封止後において、封止部を基板ケースから取り外す動作を示す図である。
【図１１】第２実施形態の可動体を示す概略断面図であり、図１０の後の動作を示す図である。
【図１２】第２実施形態の基板ケースの封止後において、封止部を基板ケースから取り外す動作を示す概略斜視図である。
【図１３】第３実施形態の可動体を示す概略断面図であって、基板ケースの封止後において、封止部を基板ケースから取り外す動作を示す図である。
【図１４】第３実施形態の可動体を示す概略断面図であり、図１３の後の動作を示す図である。
【図１５】第３実施形態の基板ケースの封止後において、封止部を基板ケースから取り外す動作を示す概略斜視図である。
【図１６】第４実施形態の可動体を示す概略断面図であって、基板ケースの封止後において、封止部を基板ケースから取り外す動作を示す図である。
【図１７】第４実施形態の基板ケースにおいて封止部を基板ケースから取り外す動作を示す概略断面図であり、図１６のXVII‐XVII部位に対応する。
【図１８】第４実施形態の基板ケースの変更例を示す概略断面図である。
【発明を実施するための形態】
【００２０】
１．第１実施形態
図１に示すように、第１実施形態の遊技機は、パチンコ遊技機１であって、遊技盤２の裏面２ａ側に、主制御基板（遊技制御基板）５を覆った基板ケース１０が配設されている。
【００２１】
なお、本明細書中、上下方向および左右方向は、図１に示す遊技盤２の裏面２ａ側を基準とし、また、前後方向は、遊技盤２の裏面２ａ側を後方とし、遊技盤２の前面側を前方とする。
【００２２】
基板ケース１０は、透明なポリカーボネート等の合成樹脂から形成されており、上縁１０ａに断面Ｕ字状の取付フック１１が設けられ、この取付フック１１を、盤裏カバー３に配設された二本の取付軸４，４に対して下方側から引っ掛け、下縁１０ｂ側を、後方側に移動しないように押え爪片（図示せず）に係止させている。なお、この基板ケース１０は、図示しない押え爪片の係止を解除して下縁１０ｂ側を後方に引けば、取付軸４回りに後方回転させて取り外すことができ、主制御基板５の検査等を行うことができる。
【００２３】
また、基板ケース１０は、上縁１０ａ側に貫通孔１２を有し、この貫通孔１２に、主制御基板５に設けられたターミナル部６を配設させている。ターミナル部６は、主制御基板５に各種のリード線を結線させるもので、盤裏カバー３に取り付けられた盤裏カバー蓋３ａの下縁に覆われている。また、基板ケース１０は、左縁１０ｃ側に、他のターミナル部６を配設させる貫通孔１３や、ＲＡＭ消去スイッチを配設させる貫通孔１４を備えている。
【００２４】
また、図２に示すように、基板ケース１０は、前方側の底側ケース部２０と後方側の蓋側ケース部３０とを備えて略箱形状に構成されるとともに、右縁１０ｄ側に、封止手段４０、及び閉塞手段６０を備えて構成されている。この基板ケース１０は、底側ケース部２０と蓋側ケース部３０との間に主制御基板５を収納して、後述するように第１〜３の係合手段１５，１６，１７を係合させることにより閉塞され、後述するように封止手段４０（下方側封止手段４０Ｄ）を利用して開放不能に封止されている。
【００２５】
なお、基板ケース１０に収納される主制御基板５は、大当たり判定を行う判定手段を有して、利益に関わる制御を行うもので、主制御基板５には、始動口に入賞した遊技球を検知する始動口スイッチ、大入賞口に入賞した遊技球を検知する大入賞口スイッチ、大入賞口を開口させる大入賞口ソレノイドなどが接続される。この主制御基板５は、図４に示すように、裏面５ａ（実装面５ｂの反対側の面）を底側ケース部２０側に向けて、蓋側ケース部３０に固定されている。
【００２６】
図３に示すように、底側ケース部２０は、略長方形板状の底壁部２２を有し、底壁部２２の周縁からは、略筒形状の側壁部２３が延設されている。側壁部２３は、上壁部２４、下壁部２５、左壁部２６、右壁部２７を有して構成されている。
【００２７】
また、図３に示すように、蓋側ケース部３０は、略長方形板状の天井壁部３２を有し、天井壁部３２の周縁から、略筒形状の側壁部３３が延設されている。側壁部３３は、上壁部３４、下壁部３５、左壁部３６、右壁部３７を有して構成されている。なお、基板ケース１０の閉塞状態では、天井壁部３２は、底壁部２２と前後方向で略平行に対向しており、また、側壁部３３は、側壁部２３に接近するように設けられている。
【００２８】
これらの両上壁部２４，３４及び両下壁部２５，３５には、図２及び図３に示すように、第１の係合手段１５及び第２の係合手段１６が形成されている。また、両右壁部２７，３７には、第３の係合手段１７が形成されている。
【００２９】
第１の係合手段１５は、図２〜４に示すように、両上壁部２４，３４及び両下壁部２５，３５に、それぞれ、三箇所ずつ形成されている。具体的には、底側ケース部２０の上壁部２４と下壁部２５に、Ｌ字状の挿入溝１５ｂを有した係止フック部１５ａが形成され、蓋側ケース部３０の上壁部３４と下壁部３５に、係止ピン１５ｃが形成されている。
【００３０】
ここで、基板ケース１０の閉塞について説明すれば、基板ケース１０の閉塞は、図４に示すように、蓋側ケース部３０を底側ケース部２０に対して嵌め合わせ、係合方向（右方向）へスライドさせることにより行われる。このとき、第１の係合手段は、図５のＡ〜Ｃに示すように、係止ピン１５ｃを、挿入溝１５ｂに挿入させて係止フック部１５ａに係止させることにより係合する。なお、実施形態では、図５のＡに示す状態、すなわち、蓋側ケース部３０が底側ケース部２０と分離している状態を、基板ケース１０の分離状態といい、図５のＢに示す状態、すなわち、蓋側ケース部３０の係止ピン１５ｃを底側ケース部２０の挿入溝１５ｂ内に挿入させた状態を、基板ケース１０の係合開始状態といい、図５のＣに示す状態、すなわち、係合開始状態から蓋側ケース部３０を係合方向（右方向）にスライドさせて、係止ピン１５ｃを係止フック部１５ａに係止させた状態を、基板ケース１０の係合完了状態という。
【００３１】
第２の係合手段１６は、図２〜図４に示すように、底側ケース部２０の上壁部２４及び下壁部２５に形成された凸形状の嵌合部１６ａと，蓋側ケース部３０の上壁部３４及び下壁部３５に形成された凹形状の嵌合部１６ｂとで構成され、基板ケース１０が係合開始状態から係合完了状態となる際に、両嵌合部１６ａ，１６ｂが相互に嵌合して、蓋側ケース部３０の係合解除方向（左方向）への移動が規制されるように構成されている。なお、これらの嵌合部１６ａ，１６ｂは、強い力で蓋側ケース部３０を係合解除方向へ移動させれば、嵌合の解除が可能である。
【００３２】
第３の係合手段１７は、図２〜図５に示すように、蓋側ケース部３０の右壁部３７に形成された閂状突起１７ａと、底側ケース部２０の右壁部２７に形成された嵌挿孔１７ｂとで構成され、図５のＡ〜Ｃに示すように、基板ケース１０が係合開始状態から係合完了状態となる際に、閂状突起１７ａが嵌挿孔１７ｂに嵌挿されて、蓋側ケース部３０の後方側への移動が規制されるように構成されている。
【００３３】
封止手段４０は、図６に示すように、蓋側ケース部３０に配設される蓋側封止部４２と、底側ケース部２０に配設される底側封止部５２とを備え、両封止部４２，５２を相互に締結することにより、蓋側ケース部３０を底側ケース部２０に対して開き不能に封止するものである。なお、実施形態の場合、封止手段４０は、基板ケース１０の右縁１０ｄ側に、上下に二組（上方側封止手段４０Ｕおよび下方側封止手段４０Ｄ）設けられている（図２参照）。
【００３４】
蓋側封止部４２は、ホルダ部４３と、ロックピン４８とを備え、図３に示すように、蓋側ケース部３０の右縁側に設けられた略長方形筒形状の蓋側収納部３８内に配設されている。
【００３５】
ホルダ部４３は、図３に示すように、略円筒形状に形成され、蓋側収納部３８の右壁部３８ａ（蓋側ケース部３０の右壁部３７と共用）と、蓋側収納部３８の左壁部３８ｂとに対して、外周面４３ａから板状の連結片部４５，４６を伸ばして、蓋側ケース部３０に連結支持されている。
【００３６】
また、ホルダ部４３には、図６に示すように、ロックピン４８が嵌挿される嵌挿孔４４が形成されている。嵌挿孔４４は、ホルダ部４３を前後方向に貫通しており、後方側から順に、六角柱穴状の大径部４４ａと、大径部４４ａより小径の円柱穴状の中径部４４ｂと、中径部４４ｂより小径の円柱穴状の小径部４４ｃとにより構成され、小径部４４ｃには、後述するロックピン４８の軸部４９ｂが嵌挿される。
【００３７】
さらに、下方側封止手段４０Ｄのホルダ部４３Ｄには、図３に示すように、外周面４３ａの前方かつ下方部位に、略四角柱形状の係合腕部４７（係合部に相当する）が設けられている。係合腕部４７は、後述する回動体７４の被係合片部７６と係合する部位であり、図７に示すように、外部から破断治具が届かないように、連結片部４５，４６からの離隔距離ＳＬ１を長くし、また、ホルダ部４３と後述する閉塞手段６０との離隔距離ＳＬ２や係合腕部４７の突出長さＰＬを短くして、設けられている。また、係合腕部４７の内部には、係合腕部４７を破断し難くするために、鋼材等の金属製の芯材４７ａが埋設されている。
【００３８】
ロックピン４８は、図６に示すように、金属製とされ、ピン本体４９と支持リング５０とを備えている。ピン本体４９は、後端側の円板状の頭部４９ａと、頭部４９ａから前方に延びる小径円柱状の軸部４９ｂとを備えている。軸部４９ｂは、外径寸法ｄを嵌挿孔４４の小径部４４ｃの内径寸法Ｄと略等しくして形成されており、ロックピン４８は、ホルダ部４３に摺動可能に保持されている。軸部４９ｂの先端部４９ｃには、環状溝４９ｄが設けられて、円板状の支持リング５０が嵌められている。
【００３９】
支持リング５０は、基板ケース１０を封止する際、ホルダ部４３と後述する底側封止部５２の嵌合部５３との間で位置規制されて、内周縁を軸部４９ｂの外周面に食い込ませ、ロックピン４８が引き抜かれるのを規制する。
【００４０】
底側封止部５２は、図６に示すように、ロックピン４８が嵌挿される嵌合部５３を備え、図３に示すように、底側ケース部２０の右縁側に設けられた略長方形筒形状の底側収納部２８内に配設されている。
【００４１】
嵌合部５３は、ホルダ部４３の形状にあわせて略円筒形状に形成され、図６に示すように、後方側だけに開口して前方側に延びる嵌合孔５４を備えている。嵌合孔５４は、ピン本体４９の先端部４９ｃ側を圧入可能な小径部５４ｂと、小径部５４ｂの開口周縁に配設されて、支持リング５０を収納可能な大径部５４ａとを備えている。
【００４２】
また、嵌合部５３は、底側収納部２８の右壁部２８ａ（底側ケース部２０の右壁部２７と共用）と、底側収納部２８の左壁部２８ｂとに対して、外周面５３ａから連結片部５５（横板部５５ａおよび縦板部５５ｂ，５５ｂ）を伸ばして、底側ケース部３０に連結支持されている。
【００４３】
ここで、基板ケース１０の封止について説明すれば、基板ケース１０の封止は、図６のＡ，Ｂに示すように、ロックピン４８を、ホルダ部４３から嵌合部５３に跨がるように押し込んでかしめ、軸部４９ｂを、ホルダ部４３の小径部４４ｃと嵌合部５３の小径部５４ｂとに跨がるように配置して、蓋側封止部４２と底側封止部５２とを締結することにより行われる。これにより、蓋側ケース部３０の係合解除方向へのスライドが規制され、基板ケース１０は開放不能に封止される。
【００４４】
なお、ホルダ部４３の嵌挿孔４４には、基板ケース１０の封止後にロックピン４８を引き抜くことができないように、後方からキャップ５７が外れ不能に嵌入される。これにより、蓋側封止部４２を破壊等して基板ケース１０の封止を解除しない限り、基板ケース１０を開放することは不可能とされる。
【００４５】
すなわち、基板ケース１０を強制的に開放する場合には、ホルダ部４３から延びる二本の連結片部４５，４６を分断して（図６のＢの二点鎖線参照）、蓋側封止部４２と蓋側収納部３８との連結を断った後、蓋側封止部４２を取外方向（後方）ＰＵ（図７参照）へ移動させて、ロックピン４８を嵌合孔５４から引き抜き、蓋側封止部４２を蓋側ケース部３０から取り外すことが必要となる。このようにして基板ケース１０の封止を解除した後で、蓋側ケース部３０を、係合解除方向へスライドさせ、さらに、基板ケース１０が分離状態となるように移動させれば、基板ケース１０を開放することができる。
【００４６】
閉塞手段６０は、図２に示すように、封止手段４０の下方となる基板ケース１０の右下角部付近に配設されている。閉塞手段６０は、図７〜９に示すように、基板ケース１０から下方側封止手段４０Ｄの蓋側封止部４２Ｄが取り外されたときに、蓋側封止部４２Ｄが配設されていたスペースＳ（図８のＢ参照）を塞ぐものであり、ハウジング部６２と、ハウジング部６２に保持された閉塞部材７２と、ハウジング部６２を後方側から覆う蓋部８２とを備えて構成されている。
【００４７】
ハウジング部６２は、図３及び図７に示すように、後方から見て略コ字形状の周壁部６３を備える。周壁部６３は、左壁部６４、右壁部６５、及び、下壁部６６により構成されている。左壁部６４の内面側及び下壁部６６の内面左側からは、周壁部６３よりも後面を前方へ下げた内壁部６７が延設されている。内壁部６７の後面６７ａには、後述する係止爪部７９を係止する係止孔部６８（係止部に相当する）が設けられている。内壁部６７の右側面及び右壁部６５の左側面には、後述する回動軸７３の端部が挿通される挿通孔６９，６９が設けられている。ハウジング部６２は、蓋側収納部３８の右壁部３８ａ、左壁部３８ｂ、及び下壁３８ｃの内面側から延設された支持座３９に、載置されて固定されている。なお、支持座３９の後面は、ハウジング部６２の前面と略同一形状に形成されている。
【００４８】
閉塞部材７２は、図３及び図７に示すように、回動軸７３（回転軸に相当する）を有して回動可能に構成された回動体７４（可動体に相当する）と、回動体７４から延設される連結部７８と、連結部７８から延設される係止爪部７９（被係止部に相当する）とを備える。回動体７４は、図７に示すように、右側から見て略Ｌ字状に形成されている。回動体７４は、前後方向に長い略四角柱形状に形成された回動体本体部７５（可動体本体部に相当する）と、回動体本体部７５の後端から延設される被係合片部７６（被係合部に相当する）とを備え、ハウジング部６２の内壁部６７と右壁部６５との間に形成される溝部７０に配置されている。なお、溝部７０の左右方向の幅寸法Ｗ１（図９のＡ参照）は、回動体７４が回動できるように、回動体７４の左右方向の幅寸法Ｗ２（図９のＡ参照）より僅かに大きく形成されている。また、図８のＢに示すように、回動体本体部７５の上下方向（回動した時を基準とする）の長さ寸法Ｌ１は、蓋側封止部４２Ｄの取外し時に、回動体本体部７５が、蓋側封止部４２Ｄの配設されていたスペースＳの上下方向の長さ寸法Ｌ２の略１／２程度まで突出できる寸法に設定されている。
【００４９】
被係合片部７６は、上下方向の略中央位置に、左右方向に貫通された挿通孔７７を備える。この挿通孔７７とハウジング部６２に形成された挿通孔６９，６９に回動軸７３が挿通されて、回動体７４は、ハウジング部６２に対して前後方向に沿って回動可能に保持されている。被係合片部７６の上端７６ａ側は、図７に示すように、右側から見て前方側の角部が面取りされた円弧状に形成されており、蓋側封止部４２Ｄの取外し時に係合腕部４７が当接する当接部７６ｂとされている。
【００５０】
被係合片部７６の後端の上方側からは、図７に示すように、右側面を略扇形状に形成されて左方に延びる連結部７８が延設されている。この連結部７８の下面の左側からは、図３及び図７に示すように、係止爪部７９が延設されている。係止爪部７９は、蓋側封止部４２Ｄの取外し時に、係止孔部６８に係止されて、回動した回動体７４が、図７のＡに示す回動前の状態へ戻るのを規制する。なお、この係止爪部７９と、係止孔部６８とが、復帰規制手段８０に相当する。この復帰規制手段８０の係止力は、回動した回動体７４がズレないように大きく設定されている。
【００５１】
蓋部８２は、図３及び図７に示すように、略四角形板状の後壁部８３と、後壁部８３の前面側から前方へ略コ字形状に延設される周壁部８４とを備えている。蓋部８２の周壁部８４の底面は、ハウジング部６２の周壁部６３の上面と略同一形状に形成されており、蓋部８２は、周壁部８４の底面をハウジング部６２の周壁部６３の上面に載置させてハウジング部６２に固着されている。蓋部８２の後壁部８３には、蓋側封止部４２Ｄの係止腕部４７が後方へ抜けるのを可能にする切欠部８５が設けられている。
【００５２】
なお、実施形態では、閉塞部材７２は、赤色などの目立つ色彩で着色され、蓋部８２及びハウジング部６２は、透明なポリカーボネート等の合成樹脂材（以下「透明部材」ともいう）により形成されている。これにより、外部から基板ケース１０を視認した際に、透明部材で形成された蓋部８２やハウジング部６２を通して、閉塞部材７２の状態が視認可能である。なお、閉塞部材７２は、破断冶具を用いて破壊されないように、鉄等の金属製とすることが望ましい。
【００５３】
ここで、基板ケース１０から蓋側封止部４２Ｄを取り外すときの閉塞手段６０の動作について、図７から図９に基づいて説明する。図７のＡ及び図９のＡに示す状態から、蓋側封止部４２Ｄの連結片部４５，４６を分断して（図６のＢ二点鎖線参照）、蓋側封止部４２Ｄを後方へ引き上げれば、まず、図７のＢに示すように、蓋側封止部４２Ｄの係止腕部４７が、回動体７４の被係合片部７６と当接する。続いて、図８のＡに示すように、蓋側封止部４２Ｄの後方移動に伴って被係合片部７６が係止腕部４７により後方へ押されるため、回動体７４は、回動軸７３を回動中心として、右側から見て反時計回りに回転していく。そして、図８のＢ及び図９のＢに示すように、蓋側封止部４２Ｄが基板ケース１０から完全に取り外された際には、回動体７４から延設された係止爪部７９が、ハウジング部６２の係止孔部６８に入り込んで係止される。これにより、回動体７４は、図７のＡに示す状態から反時計回りに略９０度回転して、回動体本体部７５を蓋側封止部４２Ｄが配設されていたスペースＳに移動させた状態に保持され、時計回りに回転して蓋側封止部４２Ｄの取外し前の状態（図７のＡ参照）に戻ることが規制される。
【００５４】
以上説明したように、第１実施形態のパチンコ遊技機１によれば、蓋側封止部４２Ｄが基板ケース１０から取り外されると、回動体７４が、蓋側封止部４２Ｄの取外し動作に連動して回動し、回動体本体部７５を蓋側封止部４２Ｄの配設されていたスペースＳの一部に移動させる。そして、回動体７４は、係止爪部７９を係止孔部６８に係止させることにより、回動後の状態に保持される。そのため、取り外した蓋側封止部４２Ｄを基板ケース１０の元の位置に戻そうとしても、回動体本体部７５が邪魔となり、蓋側封止部４２Ｄが基板ケースの１０の天井壁部３２よりも後方へ突出するため、戻すことができない。よって、第１実施形態のパチンコ遊技機１によれば、基板ケース１０の蓋側封止部４２Ｄ近傍の状態を確認することにより、基板ケース１０の不正開放を確実かつ容易に発見することができる。
【００５５】
また、第１実施形態のパチンコ遊技機１では、蓋側封止部４２Ｄを基板ケース１０から取り外す動作に連動して、回動体７４が回動し、係止爪部７９が係止孔部６８に係止される構成とされている。したがって、回動体７４を駆動するための駆動源を別途設ける必要がなく、蓋側封止部４２Ｄの取外し動作のみによって、回動体７４を回動させて回動体本体部７５により蓋側封止部４２Ｄの配設されていたスペースＳの一部を塞ぐとともに、回動体７４の復帰を規制することができる。
【００５６】
また、第１実施形態のパチンコ遊技機１によれば、蓋部８２が、回動体７４及び復帰規制手段８０を後方から覆っているため、外部から冶具が挿入されて回動体７４や復帰規制手段８０が破壊されるのを防止することができる。
【００５７】
また、第１実施形態のパチンコ遊技機１によれば、基板ケース１０における回動体７４の配設部位近傍の部材、すなわち、ハウジング部６２や蓋部８２が、透明の合成樹脂で形成されているため、蓋側封止部４２Ｄが基板ケース１０から取り外された後で、回動体７４が破壊され、蓋側封止部４２Ｄが再度基板ケース１０の元の位置に戻されてしまった場合であっても、外部から回動体７４が破壊されているか否かを確認することにより、基板ケース１０が不正に開放されたか否かを判断することができる。
【００５８】
また、第１実施形態のパチンコ遊技機１によれば、回動体７４を含む閉塞部材７２が、回動体７４の周辺に配設される部材（蓋部８２、ハウジング部６２、及び蓋側ケース部３０等）とは異なり、赤色に着色された部材で形成されているため、外部から基板ケース１０を視認した際、色彩の違いにより一見して回動体７４の状態を把握できて、不正行為を容易に発見することができる。
【００５９】
２．第２実施形態
次に、図１０〜図１２に基づいて、第２実施形態の遊技機（パチンコ遊技機）１Ａについて説明する。上述した第１実施形態のパチンコ遊技機１では、係止爪部７９と係止孔部６８とにより復帰規制手段８０を構成して、回動体７４の復帰を規制するように構成したが、第２実施形態の遊技機１Ａでは、固定部材１０２と可動部材１０６とにより復帰規制手段１００を構成している。なお、第２実施形態のパチンコ遊技機１Ａにおいて、第１実施形態のパチンコ遊技機１と同様の構成については、第１実施形態のパチンコ遊技機１と同様の符号を付して説明を省略する。
【００６０】
第２実施形態のパチンコ遊技機１Ａは、図１２に示すように、基板ケース１０Ａを備え、基板ケース１０Ａの右下角部付近に、蓋側封止部４２Ｄの取外し時に蓋側封止部４２Ｄが配設されていたスペースＳ（図１１のＢ参照）を塞ぐ閉塞手段６０Ａが配設されている。なお、蓋側封止部４２Ｄは、第２実施形態においては、ホルダ部４３Ｄの前後方向の長さ寸法が第１実施形態よりも僅かに長く形成されている。
【００６１】
閉塞手段６０Ａは、ハウジング部９０と、ハウジング部９０に保持された回動体７４と、移動した回動体７４の復帰を規制する復帰規制手段１００と、ハウジング部９０を後方側から覆う蓋部８２とを備えている。なお、回動体７４及び蓋部８２は、第１実施形態と同様に構成されている。
【００６２】
ハウジング部９０は、後方から見て略コ字形状の周壁部９２を備える。周壁部９２は、左壁部９３、右壁部９４、及び下壁部９５により構成されている。周壁部９２の内面側の前方には、後述する固定部材１０２を固着させる支持座壁部９６が延設されている。左壁部９３の右側面及び右壁部９４の左側面には、回動体７４の回動軸７３の端部が挿通される挿通孔９７，９７が設けられている。また、左壁部９３の右側面には、後述する可動部材１０６の移動をガイドするガイド部材９８（上側ガイド部材９８ａ及び下側ガイド部材９８ｂ）が設けられている。ハウジング部９０は、蓋側収納部３８の右壁部３８ａ、左壁部３８ｂ、及び下壁部３８ｃの内面側から延設された支持座３９Ａに、載置されて固定されている。なお、支持座３９Ａの後面は、ハウジング部９０の前面と略同一形状に形成されている。また、回動体７４は、ハウジング部９０の左壁部９３と右壁部９４との間に形成される溝部９９に、回動可能に配置されている。
【００６３】
復帰規制手段１００は、ハウジング部９０に固定される固定部材１０２と、ハウジング部９０の溝部９９を移動する可動部材１０６とを備えている。
【００６４】
固定部材１０２は、図１０に示すように、右側から見て略Ｌ字形状とされ、支持座壁部９６に載置される座部１０３と、座部１０３の後面の下方側から後方へ延設される背部１０４とを備える。固定部材１０２は、座部１０３の前面を支持座壁部９６の後面に当接させ、かつ、座部１０３の下面及び背部１０４の下面をハウジング部９０の下壁部９５の上面に当接させて、ハウジング部９０に対して接着等により固定されている。座部１０３の後方の上側には、鉄などの磁性体１０５が埋設されている。
【００６５】
可動部材１０６は、略四角柱形状とされ、溝部９９において回動体７４の後方位置で、上側ガイド部材９８ａと下側ガイド部材９８ｂとの間に位置規制されて配置されている。また、可動部材１０６は、前面の上方側を、被係合片部７６の後面の下方側に当接させ、かつ、下面の前方側を、背部１０４の上面の後方側に当接させて配置されている。可動部材１０６の上下方向の長さ寸法Ｌ３（図１０のＡ参照）は、上側ガイド部材９８ａと下側ガイド部材９８ｂとの離隔距離ＳＬ３（図１０のＡ参照）より若干小さい寸法とされており、可動部材１０６は、ガイド部材９８により、上下方向にズレるのを規制され、かつ、前後方向に直動できるように案内されている。可動部材１０６の前方の下側には、図１０のＢに示すように、永久磁石１０７が埋設されている。これにより、可動部材１０６の永久磁石１０７と固定部材１０２の磁性体１０５との間に、可動部材１０６と固定部材１０２とを互いに引き付けあうように磁力が働いている。
【００６６】
なお、第２実施形態では、回動体７４は、赤色などの目立つ色彩で着色され、蓋部８２及びハウジング部９０は、透明なポリカーボネート等の合成樹脂材により形成されている。これにより、外部から基板ケース１０Ａを視認した際に、透明部材で形成された蓋部８２やハウジング部９０を通して、回動体７４の状態が視認可能である。なお、回動体７４は、破断冶具を用いて破壊されないように、鉄等の金属製とすることが望ましい。
【００６７】
ここで、基板ケース１０Ａから蓋側封止部４２Ｄを取り外すときの閉塞手段６０Ａの動作について説明する。図１０のＡ及び図１２のＡに示す状態から、蓋側封止部４２Ｄの連結片部４５，４６を分断して（図６のＢ二点鎖線参照）、蓋側封止部４２Ｄを後方へ引き上げれば、まず、図１０のＢに示すように、蓋側封止部４２Ｄの係止腕部４７が、回動体７４の被係合片部７６と当接する。続いて、図１１のＡに示すように、蓋側封止部４２Ｄの後方移動に伴って被係合片部７６が係止腕部４７により後方へ押されるため、回動体７４は、回動軸７３を回動中心として、右側から見て反時計回りに回転していく。この回動体７４の回動に伴って、可動部材１０６は、被係合片部７６による前方への移動規制を失うため、永久磁石１０７と磁性体１０５との間で働く磁力により、固定部材１０２に吸着されるように前方へと移動していく。そして、図１１のＢ及び図１２のＢに示すように、蓋側封止部４２Ｄが基板ケース１０Ａから完全に取り外された際には、可動部材１０６は、固定部材１０２の背部１０４と回動体７４の被係合片部７６との間にくさびのように入り込む。このとき、可動部材１０６は、前面の下部を、座部１０３の後面の上部に対して磁力により隙間無く吸着させ、かつ、下面を、背部１０４の上面と当接させる。そして、回動体７４は、前方下部の角部７４ａを可動部材１０６の上面に当接させることにより、時計回りに回転して蓋側封止部４２Ｄの取外し前の状態（図１０のＡ参照）に戻ることが規制され、回動体本体部７５を蓋側封止部４２Ｄが配設されていたスペースＳに移動させた状態（図１１のＢの状態）で保持される。なお、図１１のＢに示す状態にあっては、回動体７４をさらに反時計回りに回転させようとしても、回動体７４の下面と可動部材１０６の上面とが当たるため、回動体７４を反時計回りに回転させることも不可能となる。
【００６８】
以上説明したように、第２実施形態のパチンコ遊技機１Ａによれば、基板ケース１０Ａから取り外した蓋側封止部４２Ｄを基板ケース１０の元の位置に戻そうとしても、回動体本体部７５が邪魔となり、蓋側封止部４２Ｄが基板ケースの１０の天井壁部３２よりも後方へ突出して戻すことができないため、回動体７４の状態を視認することにより、不正開放を容易に発見することができる。
【００６９】
また、復帰規制手段１００として、磁性体１０５を埋設させた固定部材１０２と、永久磁石１０７を埋設させた可動部材１０６とを用いて、可動部材１０６が、磁力により固定部材１０２と回動体７４との間にくさびのように入り込む構成を採用しているため、簡便な構成で回動体７４の復帰を強固に規制することができる。
【００７０】
３．第３実施形態
次に、図１３〜図１５に基づいて、第３実施形態の遊技機（パチンコ遊技機）１Ｂについて説明する。第３実施形態のパチンコ遊技機１Ｂは、第２実施形態のパチンコ遊技機１Ａの固定部材１０２と可動部材１０６とは異なる固定部材１２２と可動部材（くさび部材１２４）を用いて、復帰規制手段１２０を構成するものである。なお、第３実施形態のパチンコ遊技機１Ｂにおいて、第１実施形態のパチンコ遊技機１と同様の構成については、第１実施形態のパチンコ遊技機１と同様の符号を付して説明を省略する。
【００７１】
第３実施形態のパチンコ遊技機１Ｂは、図１５に示すように、基板ケース１０Ｂを備え、基板ケース１０Ｂの右下角部付近には、蓋側封止部４２Ｄの取外し時に蓋側封止部４２Ｄが配設されていたスペースＳ（図１４のＢ参照）を塞ぐ閉塞手段６０Ｂが配設されている。
【００７２】
閉塞手段６０Ｂは、ハウジング部１１０と、ハウジング部１１０に保持された回動体７４と、移動した回動体７４の復帰を規制する復帰規制手段１２０と、ハウジング部１１０を後方側から覆う蓋部８２とを備えている。なお、回動体７４及び蓋部８２は、第１実施形態と同様の構成とされている。
【００７３】
ハウジング部１１０は、後方から見て略コ字形状の周壁部１１２を備える。周壁部１１２は、左壁１１３、右壁部１１４、及び下壁部１１５により構成されている。左壁部１１３の右側面及び右壁部１１４の左側面には、回動体７４の回動軸７３の端部が挿通される挿通孔１１７，１１７、及び、後述するくさび部材１２４（可動部材に相当する）の回動軸１２５の端部が挿通される挿通孔１１８，１１８が設けられている。ハウジング部１１０は、蓋側収納部３８の右壁部３８ａ、左壁部３８ｂ、及び下壁部３８ｃの内面側から延設された支持座３９Ｂに、載置されて固定されている。なお、支持座３９Ｂの後面は、ハウジング部１１０の前面と後述する固定部材１２２の前面とを合わせた面と略同一形状に形成されている。また、回動体７４は、ハウジング部１１０の左壁部１１３と右壁部１１４との間に形成される溝部１１９に、回動可能に配置されている。
【００７４】
復帰規制手段１２０は、ハウジング部１１０に固定される固定部材１２２と、ハウジング部１１０の溝部１１９を回動するくさび部材１２４とを備えている。固定部材１２２は、略四角柱形状とされ、周壁部１１２の内面の前方側から延設されている。また、固定部材１２２は、支持座３９Ｂに載置されて固定されている。
【００７５】
くさび部材１２４は、図１３に示すように、右から見て略Ｌ字形状とされ、前方側の支持部１２６と、後方側のくさび本体部１２９とを備えている。支持部１２６の前端部１２６ａは、略円弧形状に形成されている。支持部１２６には、挿通孔１２７が形成され、挿通孔１２７には、回動軸１２５が挿通されている。回動軸１２５は、くさび部材１２４から突出する両端部に、それぞれ、ねじりコイルばね１２８，１２８を挿通させて、周壁部１１２の挿通孔１１８，１１８に挿通されている。
【００７６】
ねじりコイルばね１２８，１２８は、それぞれ、一端１２８ａをくさび部材１２４の右側面及び左側面に固定され、他端１２８ｂをハウジング部１１０の右壁部１１４及び左壁部１１３に固定されている。ねじりコイルばね１２８，１２８は、図１３のＡに示す閉塞手段６０Ｂの動作前においては圧縮された状態にあり、くさび部材１２４に対して、回動軸１２５を回動中心として時計回りに回転させる方向の付勢力を与えている。このため、閉塞手段６０Ｂの動作前においては、くさび部材１２４は、支持部１２６の上面を回動体本体部７５の下面に当接させた状態となり、回動体本体部７５は、上面を係合腕部４７に当接させた状態となっている。
【００７７】
なお、実施形態では、図１４のＢに示すように、くさび部材１２４が、固定部材１２２と回動体７４との間に入り込むことができるように、閉塞手段６０Ｂの動作時におけるくさび部材１２４の前後方向の長さ寸法Ｌ４を、閉塞手段６０Ｂの動作時における固定部材１２２の後面から回動体７４の前面までの離隔距離ＳＬ４と、略一致させている。
【００７８】
また、第３実施形態では、回動体７４は、赤色などの目立つ色彩で着色され、蓋部８２及びハウジング部１１０は、透明なポリカーボネート等の合成樹脂材により形成されている。これにより、外部から基板ケース１０Ｂを視認した際に、透明部材で形成された蓋部８２やハウジング部１１０を通して、回動体７４の状態が視認可能である。
【００７９】
ここで、基板ケース１０Ｂから蓋側封止部４２Ｄを取り外すときの閉塞手段６０Ｂの動作について説明する。図１３のＡ及び図１５のＡに示す状態から、蓋側封止部４２Ｄの連結片部４５，４６を分断して（図６のＢ二点鎖線参照）、蓋側封止部４２Ｄを後方へ引き上げれば、まず、図１３のＢに示すように、蓋側封止部４２Ｄの係止腕部４７が、回動体７４の被係合片部７６と当接する。続いて、図１４のＡに示すように、蓋側封止部４２Ｄの後方移動に伴って被係合片部７６が係止腕部４７により後方へ押されるため、回動体７４は、回動軸７３を回動中心として、右側から見て反時計回りに回転していく。この回動体７４の回動に伴って、くさび部材１２４は、回動体本体部７５による時計回り方向の回動規制を失うため、ねじりコイルばね１２８，１２８に付勢されて、回動軸１２５を回動中心として、時計回りに回転する。そして、図１４のＢ及び図１５のＢに示すように、蓋側封止部４２Ｄが基板ケース１０Ｂから完全に取り外された際には、くさび部材１２４は、くさび本体部１２９を固定部材１２２と回動体７４の被係合片部７６との間に入り込ませるように回動し、前面を固定部材１２２の後面に当接させて回動を規制される。そして、回動体７４は、被係合片部７６の前面をくさび本体部１２９の後面に当接させることにより、時計回りに回転して蓋側封止部４２Ｄの取外し前の状態（図１３のＡ参照）に戻ることが規制され、回動体本体部７５を、蓋側封止部４２Ｄが配設されていたスペースＳに移動させた状態（図１４のＢの状態）に保持される。なお、図１４のＢに示す状態にあっては、回動体７４をさらに反時計回りに回転させようとしても、被係合片部７６の前面の下縁部とくさび本体部１２９の後面の下縁部とが当たるため、回動体７４を反時計回りに回転させることも不可能となる。
【００８０】
以上説明したように、第３実施形態のパチンコ遊技機１Ｂによれば、基板ケース１０Ｂから取り外した蓋側封止部４２Ｄを基板ケース１０Ｂの元の位置に戻そうとしても、回動体本体部７５が邪魔となり、蓋側封止部４２Ｄが基板ケースの１０の天井壁部３２よりも後方へ突出して戻すことができないため、回動体７４の状態を視認することにより、不正開放を容易に発見することができる。
【００８１】
また、復帰規制手段１２０として、固定部材１２２と、くさび部材１２４とを用いて、くさび部材１２４が、ねじりコイルばね１２８，１２８の付勢力により固定部材１２２と回動体７４との間にくさびのように入り込む構成を採用している。そのため、固定部材１２２と回動体７４との間に入り込んだくさび部材１２４を取り外すことが困難であることから、簡便な構成で回動体７４の復帰を強固に規制することができる。
【００８２】
４．第４実施形態
次に、図１６，１７に基づいて、第４実施形態の遊技機（パチンコ遊技機）１Ｃについて説明する。第４実施形態の遊技機１Ｃは、圧縮コイルばね１３９により付勢した突出部材１３３と、突出部材１３３を係止する係止部１４２とを用いて、閉塞手段６０Ｃを構成するものである。なお、第４実施形態のパチンコ遊技機１Ｃにおいて、第１実施形態のパチンコ遊技機１と同様の構成については、第１実施形態のパチンコ遊技機１と同様の符号を付して説明を省略する。
【００８３】
第４実施形態のパチンコ遊技機１Ｃは、図１７に示すように、基板ケース１０Ｃを備え、基板ケース１０Ｃの右縁部には、下方側から順に、後述する突出部材１３３を収納する収納部１３０、下方側封止手段４０Ｄ、突出部材１３３を係止する係止部１４２、上方側封止手段４０Ｕが設けられている。なお、下方側封止手段４０Ｄ及び上方側封止手段４０Ｕは、下方側封止手段４０Ｄに係止腕部４７が設けられていない点を除いて、第１実施形態と同様に構成される。
【００８４】
収納部１３０には、図１６，１７に示すように、上方側を開口させた上下方向に長い収納孔部１３１が形成されている。収納孔部１３１には、突出部材１３３が収納されている。突出部材１３３は、上方から順に、クリップ部１３４（被係止部に相当する）と、突出部材本体部１３６（可動体本体部に相当する）と、座部１３７と、を備えている。クリップ部１３４は、前後方向に撓み可能な撓み片部１３５，１３５を有している。突出部材本体部１３６は、図１７に示すように、略四角柱形状とされ、上下方向の長さ寸法Ｌ５(図７のＢ参照)を蓋側封止部４２Ｄの配設スペースＳの上下方向の長さ寸法Ｌ６(図７のＢ参照)より長い寸法で形成されている。座部１３７は、略平板状に形成され、左右方向の幅寸法Ｗ３(図７のＡ参照)を収納孔部１３１の左右方向の幅寸法Ｗ４(図７のＡ参照)と略同一の寸法で形成されている。これにより、突出部材１３３の左右方向のずれが規制されている。座部１３７の下端１３７ａには、圧縮コイルばね１３９の一端１３９ａが固定されている。圧縮コイルばね１３９の他端１３９ｂは、収納孔部１３１のばね座１３１ａに固定されている。突出部材１３３は、収納状態では、圧縮コイルばね１３９を圧縮して、クリップ部１３４の先端部１３４ａを蓋側封止部４２Ｄの外周面４２ａに当接させて、上方への突出を規制されている。
【００８５】
係止部１４２には、下方側を開口させた係止孔部１４３が形成されている。係止孔部１４３は、蓋側封止部４２Ｄの取外し時に突出部材１３３のクリップ部１３４が進入する部位である。係止孔部１４３の開口部１４４は、係止孔部１４３の孔本体部１４５よりも狭い開口寸法で形成されており、係止孔部１４３の開口側には、クリップ部１３４の撓み片部１３５，１３５の下端１３５ａ，１３５ａを係止する係止面１４６，１４６が形成されている。
【００８６】
なお、第４実施形態では、突出部材１３３は、赤色などの目立つ色彩で着色され、収納部１３０の後壁部１３０ａ（図１６参照）を含む蓋側ケース部３０は、透明なポリカーボネート等の合成樹脂材により形成されている。これにより、外部から基板ケース１０Ｃを視認した際に、後壁部１３０ａを通して、突出部材１３３の状態が視認可能である。なお、突出部材１３３は、破断冶具を用いて破壊されないように、鉄などの金属製とすることが望ましい。
【００８７】
ここで、基板ケース１０Ｃから蓋側封止部４２Ｄを取り外すときの閉塞手段６０Ｃの動作について説明する。図１６のＡ及び図１７のＡに示す状態から、蓋側封止部４２Ｄの連結片部４５，４６を切断して（図６のＢ二点鎖線参照）、蓋側封止部４２Ｄを後方へ引き上げれば、図１６のＢ及び図１７のＢに示すように、突出部材１３３は、上方への突出規制が解除されるため、圧縮コイルばね１３９の復元力に基づいて突出する。このとき、クリップ部１３４は、撓み片部１３５，１３５を撓ませながら係止孔部１４３の開口部１４４を通過し、係止孔部１４３の孔本体部１４５に進入する。そして、クリップ部１３４は、先端部１３４ａを係止孔部１４３の壁面１４３ａに当接させた後、撓み片部１３５，１３５の下端１３５ａ，１３５ａを係止面１４６，１４６に係止されて、抜け不能に保持される。これにより、突出部材１３３は、図１６のＢ及び図１７のＢに示す状態、すなわち、突出部材本体部１３６が蓋側封止部４２Ｄの配設されていたスペースＳを上下方向に横断するように跨って配置された状態で保持される。
【００８８】
以上説明したように、第４実施形態のパチンコ遊技機１Ｃによれば、基板ケース１０Ｃから取り外した蓋側封止部４２Ｄを基板ケース１０Ｃの元の位置に戻そうとしても、突出部材本体部１３６が邪魔となり、蓋側封止部４２Ｄが基板ケースの１０の天井壁部３２よりも後方へ突出してしまって戻すことができないため、突出部材１３３の状態を視認することにより、不正開放を容易に発見することができる。
【００８９】
また、蓋側ケース部３０に圧縮コイルばね１３９により付勢した突出部材１３３を設けるだけの簡単な構成によって、取り外した蓋側封止部４２Ｄの復元を規制する基板ケース１０Ｃを形成できるため、突出部材１３３の前後方向の配設位置や、大きさなどを自由に設計でき、実施形態のように突出部材本体部１３６が蓋側封止部４２Ｄの配設されていたスペースＳを上下方向に横断するように跨って配置されるような、不正対策効果の高い基板ケース１０Ｃを容易に形成することができる。
【００９０】
また、図１７のＢに示すように、封止解除時に、後方から見て蓋側封止部４２Ｄの配設されていたスペースＳに露出するのは、突出部材本体部１３６のみであり、クリップ部１３４や座部１３７等は露出しないため、不正に突出部材１３３の係止が解除される虞れが少ない。
【００９１】
５．変更例
以上、本発明の実施形態について説明したが、本発明の実施にあたっては、上記実施形態に限定されるものではなく、特許請求の範囲を逸脱しない限りにおいて種々の構成を採り得る。
【００９２】
例えば、第４実施形態のパチンコ遊技機１Ｃでは、基板ケース１０Ｃの封止時に、突出部材１３３が、蓋側封止部４２Ｄの外周面４２ａに当接して突出を規制されるように構成したが、図１８に示すように、別途突出部材１３３の突出を規制する扉部材１５０を設けて構成してもよい。なお、図１８の説明において、上述した第４実施形態と同様の構成については、第４実施形態と同様の符号を付して説明を省略する。
【００９３】
図１８に示す基板ケース１０Ｄでは、蓋側封止部４２Ｄは、第１実施形態と同様、係合腕部４７を備えて構成される。また、扉部材１５０は、突出部材１３３のクリップ部１３４の先端部１３４ａが当接する下面１５１ａを有した扉本体部１５１と、扉本体部１５１の後面１５１ｂの略中央から延設され、封止解除時に蓋側封止部４２Ｄの係合腕部４７に係合される被係合板部１５２とを備えて構成される。また、収納部１３０の後壁部１３０ａには、扉部材１５０の後方移動をガイドするガイド溝１５４、及び、被係合板部１５２の後方への抜けを可能にする切欠部１５５が形成される。また、収納部１３０の前壁部１３０ｂには、封止時の係合腕部４７が配置される凹部１５６が形成される。
【００９４】
そして、基板ケース１０Ｄの封止を解除するために蓋側封止部４２Ｄを後方へ引き抜けば、係合腕部４７が被係止板部１５２の前面１５２ａに当接してひっかかるため、蓋側封止部４２Ｄの後方移動に伴って、扉部材１５０は左右両端１５０ａ，１５０ｂをガイド溝１５４にガイドされて後方へ移動して、蓋側封止部４２Ｄとともに後方へ抜ける。これにより、突出部材１３３の上方への突出規制が解除されるため、第４実施形態と同様、突出部材１３３は突出して、蓋側封止部４２Ｄの配設されていたスペースＳを塞ぐとともに、係止部１４２に係止される。
【００９５】
このように構成とすれば、突出部材１３３の突出を扉部材１５０により容易に規制することができるため、基板ケース製造時の組付作業が簡便となる。
【００９６】
また、第１実施形態のパチンコ遊技機１では、封止手段４０は、蓋側収納部３８及び底側収納部２８が設けられた基板ケース１０に、封止部（蓋側封止部４２及び底側封止部５２）の左右方向の両側から連結片部４５，４６，５５ｂ，５５ｂを延ばして取り付けられる構成としたが、蓋側収納部３８及び底側収納部２８が設けられていない基板ケースの側面に、封止部（蓋側封止部及び底側封止部）の片側から連結片部を延ばして取り付けられる構成のものを採用してもよい。この場合、基板ケース１０において主制御基板５が配置されている部位に、閉塞手段の配置スペースを設けて、閉塞手段を配設する。
【００９７】
また、実施形態では、封止手段４０は、ホルダ部４３と嵌合部５３とに跨るようにロックピン４８を嵌挿させる構成のものを採用したが、ロックピン４８に代えて、鉄片を用いて、ホルダ部と嵌合部とに外れ不能に鉄片を嵌挿させる構成のものを採用してもよい。
【００９８】
また、第２実施形態のパチンコ遊技機１Ｂでは、固定部材１０２に磁性体１０５を埋設し、可動部材１０６に永久磁石１０７を埋設する構成としたが、どちらの部材１０２，１０６にも永久磁石を埋設して、両部材１０２，１０６が引き付けあうように構成してもよい。
【００９９】
また、第４実施形態では、基板ケース１０Ｃの封止解除時に、突出部材１３３が、封止手段４０の下方から上方へ向かって突出するよう構成したが、前方から後方へ向かって突出する突出部材を用いて構成してもよい。この場合、突出部材は、封止手段の前方に配設スペースを設けて配置し、封止手段を取り外したときに後方へ突出するとともに、備えている係止爪が基板ケースの壁部に係止されることにより復帰不能に係止されるように構成する。
【０１００】
なお、各実施形態では、遊技機を、パチンコ遊技機１，１Ａ，１Ｂ，１Ｃとして説明したが、スロットマシンなど他の遊技機により構成してもよい。
【符号の説明】
【０１０１】
１，１Ａ，１Ｂ，１Ｃ…パチンコ遊技機、
５…主制御基板、
１０，１０Ａ，１０Ｂ，１０Ｃ…基板ケース、
２０…底側ケース部、
３０…蓋側ケース部、
４０…封止手段、
４２，４２Ｄ…蓋側封止部、
４７…係合腕部（係合部）、
５２…底側封止部、
６０，６０Ａ，６０Ｂ，６０Ｃ…閉塞手段、
６８…係止孔部（係止部）、
７３…回動軸（回転軸）、
７４…回動体（可動体）、
７５…回動体本体部（可動体本体部）、
７６…被係合片部（被係合部）、
７９…係止爪部（被係止部）、
８０,１００,１２０…復帰規制手段、
１０２，１２２…固定部材、
１０５…磁性体、
１０６…可動部材、
１０７…永久磁石、
１２４…くさび部材（可動部材）、
１２８…ねじりコイルばね、
１３３…突出部材、
１３４…クリップ部、
１３６…突出部材本体部（可動体本体部）、
１３９…圧縮コイルばね、
１４２…係止部。
【図１】
2010240306.tif 000003
【図２】
2010240306.tif 000004
【図３】
2010240306.tif 000005
【図４】
2010240306.tif 000006
【図５】
2010240306.tif 000007
【図６】
2010240306.tif 000008
【図７】
2010240306.tif 000009
【図８】
2010240306.tif 000010
【図９】
2010240306.tif 000011
【図１０】
2010240306.tif 000012
【図１１】
2010240306.tif 000013
【図１２】
2010240306.tif 000014
【図１３】
2010240306.tif 000015
【図１４】
2010240306.tif 000016
【図１５】
2010240306.tif 000017
【図１６】
2010240306.tif 000018
【図１７】
2010240306.tif 000019
【図１８】
2010240306.tif 000020